(57)【要約】【課題】  撮像に関する条件が変更されたときに、撮像に可及的影響を与えることなく、利用者に変更された条件を認識させることができる撮像表示装置を提供する。【解決手段】  制御部９は、撮像部４によって生成される画像情報を表示部３に表示させているとき、利用者が文字キー４１を操作して所定の撮像に関する条件を選択すると、撮像手段によって撮像される画像情報とともに、予め定める時間、撮像関連情報を表示部３に表示させる。撮像部４によって被写体を撮像するときに、表示部３に撮像部４によって撮像される被写体の画像情報を表示させて、撮像状態を確認することができるとともに、撮像状態を確認しながら、撮像に関する条件を変更する場合に、表示部３に表示される画像情報を見ながら変更内容を確認することができる。また予め定める時間だけ、撮像関連情報が表示されるので、撮像に関する条件を変更しても、撮像を円滑に続けることができる。【選択図】      図１
2005311911.tif 000002
【特許請求の範囲】
【請求項１】
被写体を撮像して画像情報を生成する撮像手段と、
撮像手段によって生成される画像情報を含む所定の情報を表示する表示手段と、
複数の撮像に関する条件のうち、所定の撮像に関する条件を選択する選択手段と、
選択手段によって選択される撮像に関する条件に基づいて撮像手段を制御し、撮像手段によって生成される画像情報を表示するように表示手段を制御する制御手段とを含み、
制御手段は、撮像手段によって生成される画像情報を表示手段に表示させているときに、選択手段によって、所定の撮像に関する条件が選択されると、撮像手段によって撮像される画像情報とともに、予め定める時間、選択手段によって所定の撮像に関する条件が選択される前の撮像に関する条件、および選択手段によって選択された所定の撮像に関する条件を表す撮像関連情報を表示するように表示手段を制御することを特徴とする撮像表示装置。
【請求項２】
前記表示手段は、所定の情報を表示する表示領域を有し、
前記制御手段は、撮像手段によって生成される画像情報を、前記表示領域の全領域に表示可能に表示手段を制御することを特徴とする請求項１記載の撮像表示装置。
【請求項３】
前記選択手段は、
複数の操作キーと、
複数の操作キーのそれぞれに対応づけして撮像に関する条件を記憶する記憶手段とを有し、
各操作キーが操作されることによって、記憶手段に記憶される各操作キーに対応する撮像に関する条件を選択することを特徴とする請求項１または２記載の撮像表示装置。
【請求項４】
前記選択手段の各操作キーと、記憶手段に記憶される撮像に関する条件を対応付ける対応設定手段とを有することを特徴とする請求項３記載の撮像表示装置。
【請求項５】
通信回線を介して所定の通信情報を受信可能な受信手段とを有し、
制御手段は、撮像手段によって生成される画像情報を表示手段に表示させているときに、受信手段によって所定の通信情報を受信すると、通信情報を受信したことを表す受信情報を表示するように表示手段を制御することを特徴とする請求項１〜４のいずれか１つに記載の撮像表示装置。
【発明の詳細な説明】
【技術分野】
【０００１】
本発明は、撮像手段によって生成される画像情報および撮像に関する条件を表示することができる撮像表示装置に関する。
【背景技術】
【０００２】
第１の従来の技術では、表示器を有し、この表示器の画面に現在の撮像状態を常に表示させている撮像装置がある（たとえば特許文献１参照）。
【０００３】
第２の従来の技術では、液晶表示装置を有し、この液晶表示装置に、文字によって露出の変更度合いを表示することができるデジタルカメラがある（たとえば特許文献２参照）。
【０００４】
第３の従来の技術では、ファイダー内に配置される表示部を有し、この表示部に撮影制御モードの表示を行うカメラの撮影制御モード表示装置がある（たとえば特許文献３参照）。
【０００５】
第４の従来の技術では、表示器を有するビューファインダに表示されている画像が、予め定めるインチの画面に表示されたときの大きさの、実物の被写体の大きさに対する倍率をビューファイダに表示させる撮像装置がある（たとえば特許文献４参照）。
【０００６】
【特許文献１】特開平４−２１１５８０号公報
【特許文献２】特開平１１−３４１３４１号公報
【特許文献３】特開平５−３３３４２１号公報
【特許文献４】特開平４−３２６２６３号公報
【発明の開示】
【発明が解決しようとする課題】
【０００７】
第１の従来の技術では、表示器に常に撮像状態を表示させるので、撮像される被写体の画像情報を表示器に表示させると、この画像情報を小さく表示させる必要がある。
【０００８】
第２の従来の技術では、露出の変更度合いを液晶表示装置に表示可能であるが、どのように表示するのかは全く開示されていない。
【０００９】
第３の従来の技術では、ファインダーに、撮像手段によって撮像された画像情報を表示させることができない。
【００１０】
第４の従来の技術では、表示器に実物の被写体の大きさに対する倍率を表す情報を表示させることができるが、前記情報が表示画面に常に表示されているので、撮像される画像の表示の邪魔になるという問題がある。
【００１１】
また第１〜第４の従来の技術では、たとえば撮像手段によって生成される画像情報のデータサイズなどの撮像に関する条件を変更したときに、どの撮像に関する条件が、何から何に変わったのかは分からないので、変更前の撮像に関する条件と変更された撮像に関する条件との比較をしにくいという問題がある。
【００１２】
本発明の目的は、撮像に関する条件が変更されたときに、撮像に可及的影響を与えることなく、利用者に変更された条件を認識させることができる撮像表示装置を提供することである。
【課題を解決するための手段】
【００１３】
本発明は、被写体を撮像して画像情報を生成する撮像手段と、
撮像手段によって生成される画像情報を含む所定の情報を表示する表示手段と、
複数の撮像に関する条件のうち、所定の撮像に関する条件を選択する選択手段と、
選択手段によって選択される撮像に関する条件に基づいて撮像手段を制御し、撮像手段によって生成される画像情報を表示するように表示手段を制御する制御手段とを含み、
制御手段は、撮像手段によって生成される画像情報を表示手段に表示させているときに、選択手段によって、所定の撮像に関する条件が選択されると、撮像手段によって撮像される画像情報とともに、予め定める時間、選択手段によって所定の撮像に関する条件が選択される前の撮像に関する条件、および選択手段によって選択された所定の撮像に関する条件を表す撮像関連情報を表示するように表示手段を制御することを特徴とする撮像表示装置である。
【００１４】
また本発明は、前記表示手段は、所定の情報を表示する表示領域を有し、
前記制御手段は、撮像手段によって生成される画像情報を、前記表示領域の全領域に表示可能に表示手段を制御することを特徴とする。
【００１５】
また本発明は、前記選択手段は、
複数の操作キーと、
複数の操作キーのそれぞれに対応づけして撮像に関する条件を記憶する記憶手段とを有し、
各操作キーが操作されることによって、記憶手段に記憶される各操作キーに対応する撮像に関する条件を選択することを特徴とする。
【００１６】
また本発明は、前記選択手段の各操作キーと、記憶手段に記憶される撮像に関する条件を対応付ける対応設定手段とを有することを特徴とする。
【００１７】
また本発明は、通信回線を介して所定の通信情報を受信可能な受信手段とを有し、
制御手段は、撮像手段によって生成される画像情報を表示手段に表示させているときに、受信手段によって所定の通信情報を受信すると、通信情報を受信したことを表す受信情報を表示するように表示手段を制御することを特徴とする。
【発明の効果】
【００１８】
本発明によれば、制御手段は、撮像手段によって生成される画像情報を、表示手段に表示させることができる。撮像手段によって生成される画像情報を表示手段に表示させているとき、利用者が選択手段によって所定の撮像に関する条件を選択すると、制御手段は、撮像手段によって撮像される画像情報とともに、予め定める時間、撮像関連情報を表示手段に表示させる。撮像関連情報は、選択手段によって所定の撮像に関する条件が選択される前の撮像に関する条件と、選択手段によって選択された所定の撮像に関する条件とを表す。これによって、撮像手段によって被写体を撮像するときに、表示手段によって撮像手段によって撮像される被写体の画像情報を表示させて、撮像状態を確認することができるとともに、撮像状態を確認しながら、撮像に関する条件を変更する場合に、表示手段に表示される画像情報を見ながらであってもその変更内容を確認することができる。したがって、撮像に関する条件を変更した場合に、利用者は、表示手段に表示される画像情報を目視しながら、この撮像に関する条件を知ることができる。さらに撮像関連情報は、制御手段によって、予め定める時間、表示手段に表示される。予め定める時間は、たとえば利用者が目視して認識可能な時間に選ばれる。このように予め定める時間だけ、撮像関連情報を表示させることによって、撮像に与える影響を可及的に低減することができ、撮像に関する条件を変更しても、円滑に撮像を続けることができる。また、選択された所定の撮像に関する条件だけでなく、選択手段によって所定の撮像に関する条件の前の撮像に関する条件を表示させることによって、撮像に関する条件がどのように変わるのかが分かるので、撮像に関する条件の比較をすることができ、利用者にとって利便性が向上する。
【００１９】
また本発明によれば、制御手段は、撮像手段によって生成される画像情報を、表示手段の表示領域の全領域に表示させることができる。したがって、撮像手段によって生成される画像情報を、可及的大きく表示させることができ、撮像範囲を容易に確認することができるようになる。また表示部の表示領域の全領域に、撮像手段によって生成される画像情報を表示させることで、撮像に関する条件が分かりにくくなってしまうが、前述したように選択手段によって撮像に関する条件が選択されたときに、撮像関連情報が表示手段に表示されるので、利用者は、撮像に関する条件を認識することができる。
【００２０】
また本発明によれば、操作キーが操作されると、この操作キーに対応づけして記憶手段に記憶される撮像に関する条件が選択される。したがって、複数の操作キーのうち、各操作キーを操作することによって、操作キーに対応する撮像に関する条件を選択することができる。
【００２１】
また本発明によれば、対応設定手段によって、選択手段の各操作キーと、記憶手段に記憶される撮像に関する条件を対応づけることができるので、利用者が所望の操作キーとこれを操作することによって選択される撮像に関する条件とを対応づけすることができる。したがって、複数の操作キーがある場合であっても、利用者の使いやすい操作キーを操作することによって、所定の撮像に関する条件を選択することができるようになり、操作しやすくなる。
【００２２】
また本発明によれば、制御手段は、撮像手段によって生成される画像情報を表示させているときに、受信手段によって所定の通信情報を受信すると、表示手段には、制御手段によって、通信情報を受信したことを表す受信情報が表示される。これによって、撮像手段によって生成される画像情報を表示手段に表示させる撮像状態であっても、受信情報が表示手段に表示されるので、所定の通信情報を受信手段が受信したことを認識することができる。
【発明を実施するための最良の形態】
【００２３】
図１は、本発明の実施の一形態の撮像表示装置１の構成を示すブロック図である。本実施の形態においては、撮像表示装置１を携帯型通信装置である携帯型電話装置に適用して示す。撮像表示装置１は、キー入力部２と、表示部３と、撮像部４と、プログラム用メモリ５と、第１メモリ６と、第２メモリ７と、表示用メモリ８と、制御部９と、表示ドライバ部１０と、バックライト部１１と、開閉検出部１２と、アンテナ部１３と、無線部１４と、通信制御部１５と、音声入力部１６と、音声出力部１７と、キー照明部１８と、計時部１９と、外部メモリ接続部２０とを有する。
【００２４】
キー入力部２は、所定の文字情報を入力するための複数の文字キーを含む文字キー群２１と、撮像表示装置１への所定の指令情報を入力するための複数の機能キーを含む機能キー群２２とを含む。文字キー群２１は、数字「０」〜数字「９」までの数字情報、文字「♯」および文字「＊」の文字情報を入力するための文字キー４１を含む。機能キー群２２は、表示部３にメニューを表示させるためのメニューキー２３と、表示部３に表示されるカーソルを移動させるための十字キー２４と、カメラキー２５と、電話帳キー２６と、メールキー２７と、インターネット接続キー２８と、通話するための電話キー２９、通話状態を切断するための終話キー３０、クリアキー３１などが含まれる。キー入力部２のキーをまとめて、操作キーと記載する場合がある。本実施の形態では、文字キーによって、数字情報が入力されるが、文字キーはこれに限らず、所定の文字、たとえばアルファベットおよび漢字など文字情報を入力することができるものであればよい。操作者が、キー入力部２の各操作キーを操作することによって、制御部９に各操作キーに対応した指令情報が与えられる。
【００２５】
表示部３は、少なくとも前記キー入力部２によって入力される指令情報に基づいて、画像情報および文字情報を含む所定の情報を表示する。表示部３は、カラー表示可能な半透過半反射型液晶表示素子を含んで実現される。本実施の形態では表示部３は、カラー表示可能な半透過半反射型液晶表示素子によって実現されるが、必ずしもこれに限定されるものではない。たとえば表示部３は、カラー表示または白黒表示可能な透過型液晶表示素子および反射型液晶表示素子のいずれか、エレクトロルミネッセンス（Electro
Luminescent；略称ＥＬ）素子、および白黒表示可能な半透過半反射型液晶表示素子のうちのいずれか１つによって実現してもよい。表示部３は、撮像部４によって生成される画像情報を表示することによって、撮像部４によって撮像される範囲を表示し、いわゆるカメラのファインダとして用いられる。
【００２６】
撮像部４は、撮像手段であり、被写体を撮像し、入射する光を電気的な信号に変換し、画像情報を生成する。撮像部４は、カメラ部および画像処理部を含む。画像情報は、画像データによって表される。カメラ部は、撮像レンズと、電荷結合素子（Charge Coupled
Device；略称ＣＣＤ）イメージセンサおよび相補型モス（Complementary Metal Oxide
Semiconductor；略称ＣＭＯＳ）イメージセンサなどの撮像素子と、赤色（Ｒ），緑色（Ｇ）および青色（Ｂ）の３色のカラーフィルタと、マイクロレンズアレイとを含む。カメラ部は、所定の被写体で反射されて撮像レンズに入射した光を、カラーフィルタを通してＲ，ＧおよびＢの３色光にし、Ｒ，ＧおよびＢの３色光をそれぞれ前記撮像素子によって電気信号に変換する。またカメラ部は、制御部１１から与えられる制御信号に基づいて、前記撮像素子により前記３色光を電気信号に変換する。
【００２７】
また撮像部４のカメラ部は、撮像素子と撮像レンズとを相対的に移動させるように撮像レンズを移動させるレンズ駆動部を有し、撮像レンズを、撮像レンズをこのレンズの光軸方向に移動させて、撮像素子に近接または離反させることができる。
【００２８】
画像処理部は、増幅部、アナログ／デジタル（Analog／Digital；略称Ａ／Ｄ）変換部および信号処理部を含む。増幅部は、カメラ部から与えられるＲ，ＧおよびＢの３色光のそれぞれに対応した電気信号を増幅し、Ａ／Ｄ変換部に与える。Ａ／Ｄ変換部は、増幅部で増幅されたＲ，ＧおよびＢに対応したアナログの電気信号をデジタルの電気信号に変換し、画像情報を表す画像データを生成して信号処理部に与える。信号処理部は、Ａ／Ｄ変換部から与えられる画像データに対して、画素の補間処理などの処理を行う。また画像処理部は、制御部９から与えられる制御信号に基づいて、信号処理を施した画像データを表示用メモリ８に与える。
【００２９】
後述する制御部９は、撮像部４からの得られる画像情報のコントラストを検出し、このコントラストに基づいて、レンズ駆動部を制御して、撮像レンズを移動させる。これによって、オートフォーカス機能が実現される。
【００３０】
プログラム用メモリ５は、たとえばリードオンリメモリ（Read Only Memory：略称ＲＯＭ）などの不揮発性記録媒体によって実現され、制御プログラムを記憶する。この制御プログラムに基づいて制御部９が、プログラム用メモリ５、第１メモリ６、第２メモリ７、表示用メモリ８、表示ドライバ部１０、バックライト部１１、開閉検出部１２、通信制御部１５、キー入力部２、キー照明部１８、撮像部４および外部メモリ接続部２０などの各部を制御する。制御プログラムは、たとえば、電子メールの作成および電子メールを送受信するためのプログラム、インターネットに接続するためのプログラム、撮像部４に撮像させるためのプログラム、撮像部４によって生成される画像情報を、第２メモリ７に記憶させるためのプログラム、表示部３に階層化されたメニューを表示させるためのプログラムなど、各種プログラムを含む。
【００３１】
第１メモリ６は、作業用メモリであり、制御部９からの制御信号に基づいて、キー入力部２によって入力された文字情報および指令情報、ならびに撮像部４によって生成された画像情報などを一時的に記憶する。第１メモリ６は、たとえばランダムアクセスメモリ（
Random Access Memory：略称ＲＡＭ）などの揮発性記憶媒体である。また第１メモリ６は、制御部９による処理の結果などを一時的に記憶する。
【００３２】
第２メモリ７は、キー入力部２が操作されることによって撮像部４によって生成された画像情報を記憶する指令が入力された場合に、この指令情報に応答した制御部９によって与えられる制御信号に基づいて、撮像部４によって生成される画像情報を保存する。また第２メモリ７には、通信制御部１５を介して受信した画像情報および文字情報などの情報が記憶される。第２メモリ７は、制御部９からの制御信号に基づいて、情報を記憶し、また記憶されている情報を消去する。画像情報は、静止画像情報および動画像情報を含む。前記第２メモリ７は、たとえばフラッシュメモリ、ＥＰＲＯＭ（Erasable Programmable
Read Only Memory）およびＥＥＰＲＯＭ（Electrically EPROM）などの不揮発性記録媒体によって実現される。
【００３３】
また第２メモリ７には、所定の情報が記憶され、この所定の情報は、静止画像情報、動画像情報、電話番号情報を含む電話帳情報、および予め定める通知先を表す通知先情報が含まれる。電話帳データは、電話番号に関する電話番号情報、電子メールのアドレスに関するメールアドレス情報、およびこれらの電話番号情報およびメールアドレス情報に対応する識別情報、たとえば氏名の情報などを含む。
【００３４】
表示用メモリ８は、いわゆるＶＲＡＭ（Video Random Access Memory）によって実現され、表示部３に表示させる情報を記憶する。たとえば制御部９からの制御信号に基づいて、表示用メモリ８は、撮像部４から予め定める間隔をあけて連続して与えられる画像情報を一時的に記憶する。表示用メモリ８には、撮像部４から、たとえば１秒間に１０フレーム分の画像情報が与えられ、制御部９は、表示用メモリ８に画像情報を更新して記憶させる。
【００３５】
制御部９は、中央演算処理装置（Central Processing Unit；略称ＣＰＵ）を含む。制御部９は、プログラム用メモリ５に記憶される制御プログラムに基づいて、撮像表示装置１を構成する前述した各部を制御する。制御部９は、キー入力部２によって入力される情報、および後述する開閉検出部１２から与えられる検出情報に応答して撮像表示装置１を構成する各部に制御信号を与えて、その動作を制御する。前述したプログラム用メモリ５に記憶される制御プログラムには、無線部１４によって予め定める通知先に発呼するためのプログラム、無線部１４によって電子メールを送受信するためのプログラムが含まれ、制御部９は、後述する通信制御部１５を制御して、予め定める通知先に発呼させたり、電子メールを所定の通知先に送信させたり、また電子メールを受信させたりすることができる。
【００３６】
電源を投入すると制御部９は、撮像表示装置１を、待受け状態とする。待受け状態とは、電話の着信、電子メールの受信、およびキー入力部２から与えられる指令情報を待受けている状態である。待受け状態では、制御部９は表示部３に待受け画像を表示させる。
【００３７】
待受け状態において、機能キー３２のうち、カメラキー２５に対応する指令情報が、制御部９に与えられると、制御部９は、撮像部４および表示用メモリ８、表示ドライバ部１０、およびバックライト部１１を制御して、撮像部４によって生成される画像情報を表示部３に表示させる撮像動作モードで装置の各部を制御する。
【００３８】
また待受け状態において、機能キー３２のうち、電子メールキー２７に対応する指令情報が、制御部９に与えられると、制御部９は、通信制御部１５を制御して、電子メールの受信する処理を行う。また待受け状態において、機能キー３２のうち、電話帳キー２６に対応する指令情報が、制御部９に与えられると、制御部９は、第２メモリ７および表示用メモリ８、表示ドライバ部１０を制御して、表示部３に電話帳情報を表示させる。また待受け状態において機能キー３２のうち、インターネット接続キー２８に対応する指令情報が、制御部９に与えられると、制御部９は、通信制御部１５を制御することによって、公衆回線網を含む通信回線を介して、インターネットに接続し、所定の通信先と通信することができる。このように制御部９は、待受け状態において所定の指令情報が入力されると、機能キー３２による指令情報に対応した処理を実行する。
【００３９】
また撮像動作モードにおいて、制御部９は、メニューキー２３を、画像情報を仮保存または保存するためのシャッタキーとして機能させる。撮像動作モードにおいて、制御部９は、文字キー群２１の各文字キー４１を、撮像に関する条件を選択するための、操作キーとして機能させる。前述した第２メモリ７には、撮像動作モードにおける文字キー４１と、各文字キー４１に対応する撮像に関する条件との組合せが記憶される。表１は、第２メモリ７に記憶される文字キーと、各文字キー４１に対応する撮像に関する条件とを表す。
【００４０】
【表１】
2005311911.tif 000003
【００４１】
数字「１」の文字キー４１は、静止画像を撮像するためのカメラモードに対応する。撮像動作モードにおいて、利用者が数字「１」の文字キー４１を操作すると、制御部９は、表１に示す文字キー４１と、撮像に関する条件との組合せに基づいて、静止画像を撮像するためのカメラモードで、撮像部４、第１メモリ６、第２メモリ７、表示用メモリ８および表示ドライバ部１０を少なくとも制御するように設定することができる。本実施の形態において、文字キー４１の操作とは、文字キーを押下することである。
【００４２】
数字「２」の文字キー４１は、動画像を撮像するためのカメラモードに対応する。撮像動作モードにおいて、利用者が数字「２」の文字キー４１を操作すると、制御部９は、表１に示す文字キー４１と、撮像に関する条件との組合せに基づいて、動画像を撮像するためのカメラモードで、撮像部４、第１メモリ６、第２メモリ７、表示用メモリ８および表示ドライバ部１０を少なくとも制御するように設定することができる。
【００４３】
数字「３」の文字キー４１は、バーコードを撮像するためのカメラモードに対応する。撮像動作モードにおいて、利用者が数字「３」の文字キー４１を操作すると、制御部９は、表１に示す文字キー４１と、撮像に関する条件との組合せに基づいて、バーコードを撮像するためのカメラモードで、撮像部４、第１メモリ６、第２メモリ７、表示用メモリ８および表示ドライバ部１０を少なくとも制御するように設定することができる。バーコードは、二次元バーコードを含む。
【００４４】
数字「４」の文字キー４１は、名刺などの紙面に記載されている文字を撮像して、文字を読取るためのカメラモードに対応する。文字を読取るためのカメラモードでは、撮像表示装置１をいわゆるＯＣＲ（Optical Character Reader）として機能させる。撮像動作モードにおいて、利用者が数字「１」の文字キー４１を操作すると、制御部９は、表１に示す文字キー４１と、撮像に関する条件との組合せに基づいて、文字を撮像するためのカメラモードで、撮像部４、第１メモリ６、第２メモリ７、表示用メモリ８および表示ドライバ部１０を少なくとも制御するように設定することができる。
【００４５】
数字「１」〜数字「４」のいずれかの文字キー４１を押下して、制御部９によって選択されたカメラモードに関する情報は、制御部９が第２メモリ７に設定条件として記憶させる。
【００４６】
数字「５」の文字キー４１は、撮像部４によって生成される画像情報のサイズに対応する。撮像動作モードにおいて、利用者が数字「５」の文字キー４１を操作すると、制御部９は、撮像部４によって生成される画像情報のサイズが、選択される所定のサイズとなるように設定することができる。所定のサイズは、たとえば「ＱＶＧＡ（Quarter Video
Graphics Array）」、「ＶＧＡ（Video Graphics Array）」および「ＸＧＡ（eXtended
Graphics Array）」のいずれかに対応し、制御部９は、数字「５」の文字キー４１が１回押下されるごとに「ＱＶＧＡ」、「ＶＧＡ」、「ＸＧＡ」の順番に画像サイズを選択する。「ＸＧＡ」が選択されているときに、数字「５」の文字キー４１が押下されると、制御部９は、再び「ＱＶＧＡ」を選択する。
【００４７】
数字「５」の文字キー４１を押下して、制御部９によって選択された画像情報のサイズに関する情報は、制御部９が第２メモリ７に設定条件として記憶させる。
【００４８】
数字「６」の文字キー４１は、撮像部４によって生成される画像情報の画質に対応する。撮像動作モードにおいて、利用者が数字「６」の文字キー４１を操作すると、制御部９は、撮像部４によって生成される画像情報を第２メモリ７に保存するときの画質を、選択された所定の画質となるように設定することができる。画質は、「ノーマル」、「ファイン」および「スーパーファイン」のいずれかに対応し、制御部９は、数字「６」の文字キー４１が１回押下されるごとに「ノーマル」、「ファイン」および「スーパーファイン」の順番に画質を選択する。「スーパーファイン」が選択されているときに、数字「６」の文字キー４１が押下されると、制御部９は、再び「ノーマル」を選択する。画質は、画像情報を第２メモリ７に記憶させるときのデータの圧縮率に対応し、画像情報の圧縮は、の制御部９によって行われる。圧縮率は、「スーパーファイン」、「ファイン」、「ノーマル」の順番に大きくなる。
【００４９】
数字「６」の文字キー４１を押下して、制御部９によって選択された画質に関する情報は、制御部９が第２メモリ７に設定条件として記憶させる。
【００５０】
数字「７」の文字キー４１は、オートフォーカス（Auto Focus；略称ＡＦ）モードに対応する。撮像動作モードにおいて、利用者が数字「７」の文字キー４１を操作すると、制御部９は、撮像部４が撮像するときのＡＦモードを、選択されたＡＦモードとなるように設定することができる。ＡＦモードは、「標準」、「接写」、「人物」、「風景」および「マニュアル」のいずれかに対応し、制御部９は、数字「７」の文字キー４１が１回押下されるごとに、「標準」、「接写」、「人物」、「風景」および「マニュアル」の順番にＡＦモードを選択する。「マニュアル」が選択されているときに、数字「７」の文字キー４１が押下されると、制御部９は、再び標準を選択する。
【００５１】
数字「７」の文字キー４１を押下して、制御部９によって選択されたＡＦモードに関する情報は、制御部９が第２メモリ７に設定条件として記憶させる。
【００５２】
制御部９は、選択されたＡＦモードに基づいて、撮像部４を制御する。具体的には、制御部９は、撮像部４のレンズ駆動部を制御する。「標準」、「接写」、「人物」、「風景」では、撮像レンズと、撮像素子との間の相対的な距離が異なり、これによって、撮像する被写体に適した画像情報を生成することができるようになる。
【００５３】
数字「８」の文字キー４１は、連続撮影に対応する。撮像動作モードにおいて、利用者が数字「８」の文字キー４１を操作すると、制御部９は、撮像部４が撮像するときに、選択された連続撮影モードとなるように設定することができる。連続撮影モードは、「高速」、「標準」、「マニュアル」、「ブランケット」および「オーバーラップ」のいずれかに対応し、制御部９は、数字「８」の文字キー４１が１回押下されるごとに、「高速」、「標準」、「マニュアル」、「ブランケット」および「オーバーラップ」の順番に連続撮影モードを選択する。「オーバーラップ」が選択されているときに、数字「８」の文字キー４１が押下されると、制御部９は、再び「高速」を選択する。
【００５４】
数字「８」の文字キー４１を押下して、制御部９によって選択された連続撮影モードに関する情報は、制御部９が第２メモリ７に設定条件として記憶させる。
【００５５】
制御部９は、選択された連続撮影モードに基づいて、撮像部４および第１メモリ６を制御する。具体的には制御部９は、「高速」が選択されている場合、メニューキー２３によって画像情報を仮保存または保存する指令情報が与えられると、０．１秒間間隔で所定の数の画像を得るように撮像部４および第１メモリ６を制御する。また制御部９は、「標準」が選択されている場合、メニューキー２３によって画像を仮保存または保存する指令情報が与えられると、０．２秒間間隔で所定の数の画像情報を得るように撮像部４および第１メモリ６を制御する。また制御部９は、「マニュアル」が選択されている場合、メニューキー２３によって画像情報を仮保存または保存する指令情報が与えられると、１枚の画像を得るように撮像部４および第１メモリ６を制御する。また制御部９は、「ブランケット」が選択されている場合、メニューキー２３によって画像情報を仮保存または保存する指令情報が与えられると、明るさを変えて所定枚数の画像を得るように、撮像部４および第１メモリ６を制御する。また制御部９は、「オーバーラップ」が選択されている場合、メニューキー２３によって画像情報を仮保存または保存する指令情報が与えられると、所定の枚数の画像を得るように、撮像部４および第１メモリ６を制御して、所定の枚数の画像を重ねた画像を生成する。
【００５６】
数字「９」の文字キー４１は、保存先に対応する。撮像動作モードにおいて、利用者が数字「９」の文字キー４１を操作すると、制御部９は、撮像部４によって生成される画像情報を保存するときに、選択された保存先に保存するように設定することができる。保存先は、「本体メモリ」および「外部メモリ」のいずれかに対応し、制御部９は、数字「９」の文字キー４１が１回押下されるごとに、「本体メモリ」および「外部メモリ」の順番に保存先を選択する。「外部メモリ」が選択されているときに、数字「９」の文字キー４１が押下されると、制御部９は、再び「本体メモリ」を選択する。本体メモリとは、第２メモリ７である。また外部メモリとは、外部メモリ接続部２０に着脱自在に接続されるメモリである。
【００５７】
数字「９」の文字キー４１を押下して、制御部９によって選択された保存先に関する情報は、制御部９が第２メモリ７に設定条件として記憶させる。
【００５８】
表２は、第２メモリ７に記憶される設定条件を示す。前述ように撮影動作モードのときに、各文字キー４１を操作することによって、第２メモリ７には、表２に示すような設定条件が記憶される。
【００５９】
【表２】
2005311911.tif 000004
【００６０】
項目「カメラモード」に対応する設定条件は、前述した数字「１」〜「４」の文字キー４１のいずれかを操作することによって設定され、表２では、数字「１」を操作することによって静止画像を撮像するカメラモードが選択された場合を示す。項目「サイズ」に対応する設定条件は、前述した数字「５」の文字キー４１を操作することによって設定され、表２では、「ＱＶＧＡ」が選択された場合を示す。同様に、各項目「画質」、「ＡＦモード」、「連続撮影」および「保存先」に対応する設定条件は、それぞれ数字「６」〜「９」の文字キー４１を操作することによって設定され、表２では、それぞれ「ノーマル」、「標準」、「標準」および「本体メモリ」が選択された場合を示す。
【００６１】
制御部９は、第２メモリ７に記憶される設定条件に基づいて、撮像部４、第１メモリ６および第２メモリ７を少なくとも制御する。
【００６２】
表示ドライバ部１０は、制御部９からの制御信号、および表示用メモリ８に記憶される情報に基づいて、表示部３の各画素電極に電圧を印加する。これによって表示部３に、画像情報を含む所定の情報が表示される。
【００６３】
バックライト部１１は、表示面側から表示部３に臨んで、表示部３の背後、言い換えると表示部３に表示される表示内容を目視可能な側から表示部３を見て、表示部３の背後に設けられ、制御部９からの制御信号に基づいて、表示部３に光を照射する。バックライト部１１は、発光ダイオードなどの発光源と光学フィルタなどで構成した導光板とを含んで構成され、発光源が表示部の周縁部に設けられ、導光板によって表示部３の全表示領域に光を導く、いわゆるサイドライトタイプのバックライトによって実現される。バックライト部１１には制御部９から制御信号が与えられ、発光素子の点灯／消灯、および輝度調整などが行なわれる。バックライト部１１を設けることによって、撮像表示装置１の周囲が暗い場合でも、表示部３に表示される表示内容を見やすくすることができ、視認性が向上する。バックライト部１１の各発光素子は、操作者によってこれらの発光素子を消灯するための情報がキー入力部２によって入力されるまで点灯する構成とする。バックライト部１１の発光素子は、点灯してから予め定める時間が経過すると、制御部９によって消灯される構成としてもよい。
【００６４】
開閉検出部１２は、後述する第１および第２ケーシング３３，３４の折り畳み状態および展開状態を制御部９とともに検出する。この開閉検出部は、たとえば第２ケーシング３４に設けられる突起部、第１ケーシング３３に設けられる孔部、状態検出スイッチを含んで構成される。制御部９は、前記孔部に挿入可能な突起部の位置、換言すれば状態検出スイッチのスイッチング状態に基づいて、たとえば個別接点間に流れる電流を検出可能に構成される。制御部９は、個別接点間に流れる電流を検出することによって、電流が流れれば第１および第２ケーシング３３，３４が折り畳み状態であると判断する。第１および第２ケーシング３３，３４が展開状態である場合には、個別接点間に電流を流すことができない。したがって制御部１１は、第１および第２ケーシング３３，３４が折り畳み状態でないとつまり展開状態であると判断する。このように携帯型通信装置１においては、制御部９が、状態検出スイッチのスイッチング状態に基づいて、第１および第２ケーシング３３，３４が展開状態であるのか折り畳み状態であるのかを簡単な構成で容易に検出することができる。
【００６５】
アンテナ部１３は、無線電波を介して基地局と無線通信を行うときに、音声情報、文字情報および画像情報などの各種情報を電波として放射し、基地局からの通信情報を取得する。
【００６６】
無線部１４は、基地局からアンテナ部１３を介して取得した文字情報、画像情報および音声情報などの通信情報を復調し、また通信制御部１５から送られてくる文字情報、画像情報および音声情報などの通信情報を変調して増幅し、アンテナ部１３を介して基地局に送信する。
【００６７】
通信制御部１５は、無線部１４が復調した文字情報、画像情報および音声情報などの受信データを所定の通信プロトコルに基づいて制御部９に送る。通信制御部１５は、制御部９からの制御指令に基づいて、音声入力部１６から与えられる音声情報を、無線部１４に与える。無線部１４、通信制御部１５を介して受信した相手先からの文字情報および画像情報などの受信情報は、制御部９に与えられ、制御部９は、受信情報を第２メモリ７に保存する。通信制御部１５は、通信回線を介して、所定の通信先からの通信情報を受信すると、通信情報を受信したことを表す所定の受信制御情報を制御部９に与える。制御部９は、受信制御情報に基づいて、通信制御部１５および第２メモリ７を制御する。
【００６８】
また通信制御部１５は、第２メモリ７に保存される文字情報および画像情報、ならびに後述する音声入力部１６から与えられる音声情報を、無線部１４に送る。前述した制御部９は、キー入力部２の操作キーによって入力される電話番号情報を、通信制御部１５に与え、通信制御部１５は、無線部１４を制御して公衆回線網に接続して、電話番号情報に対応する他の通信装置に対して発呼することができる。また通信制御部１５は、無線部１４からから与えられる音声情報を、音声出力部１７に与えることができる。また通信制御部１５は、音声出力部１７から与えられる音声情報を、無線部１４に与える。
【００６９】
音声入力部１６は、たとえばマイクロフォンによって実現され、音声情報を入力する。音声出力部１７は、たとえばスピーカによって実現され、音声情報を出力する。
【００７０】
キー照明部１８は、たとえば発光ダイオード（Light Emitting Diode：略称ＬＥＤ）を含む。前述したキー入力部２の各操作キーは、透光性の操作片を含み、発光ダイオードは、操作片の背後に設けられる。キー照明部１８は、制御部９からの制御指令に基づいて、発光する。これによって、キー入力部２の操作片から光が漏れて、各キーの位置が分かりやすくなる。
【００７１】
計時部１９は、タイマの機能を有し、たとえばリアルタイムクロックを含んで実現される。計時部１９は、制御部９からの制御指令に基づいて、所定の時間を計時し、所定の時間を計時した後、所定の時間を計時したことを表す計時情報を制御部９に与えることができる。
【００７２】
外部メモリ接続部２０は、外部メモリを着脱自在に接続する。外部メモリは、たとえばメモリカードなどの不揮発性記憶媒体によって実現される。制御部９は、外部メモリ接続部に２０に接続される外部メモリに、情報を記憶し、また外部メモリに記憶された情報を読み出すことができる。
【００７３】
また撮像表示装置１は、装置の各部が動作するための電力を供給するバッテリなどによって実現される図示しない電源部を有する。
【００７４】
本実施の形態において、選択手段は、文字キー４１、制御部９、プログラム用メモリ５、および第２メモリ７を含む。また記憶手段は、第２メモリを含む。また表示手段は、表示部３を含む。また制御手段は、制御部９、表示ドライバ部１０を含む。受信手段は、アンテナ部１３、無線部１４および通信制御部１５を含む。
【００７５】
図２は、撮像表示装置１の外観を示す正面図である。図２は、展開状態の撮像表示装置１を示す。撮像表示装置１は、第１および第２ケーシング３３，３４とヒンジ部３５とを有する。これら第１および第２ケーシング３３，３４は、略直方体形状を有し、一表面部３３ａ，３４ａを相互に対向させた折り畳み状態と、図２に示すような展開状態とにわたって、ヒンジ部３５によって相互に角変位自在に連結される。すなわち第１および第２ケーシング３３，３４は、前記折り畳み状態から、ヒンジ部３５と第１ケーシング３３の遊端部３６とを含む仮想一平面と、ヒンジ部３５と第２ケーシング３４の遊端部３７とを含む仮想一平面とのなす角度が、たとえば約１８０°となる位置まで、ヒンジ部３５を中心として相互に角変位自在に構成されている。
【００７６】
撮像表示装置１は、本実施の形態では、折り畳み型の携帯電話装置に適用しているが、撮像表示装置１は、折り畳み型の携帯電話装置に必ずしも限定されるものではない。また第１ケーシング３３を第２ケーシング３４に対して相対的にかつ略平行にスライド変位させるスライド式、第１ケーシング３３をその厚み方向に平行な軸線方向まわりに第２ケーシング３４に対して回転変位させる回転式、これら折り畳み型，スライド式，回転式の構造を選択的に組み合わせた種々な携帯電話装置に本発明は適用可能である。
【００７７】
第１ケーシング３３には、前記キー入力部２の各操作キーが設けられる。キー入力部２の各操作キーは、第１および第２ケーシング３３，３４の一表面部３３ａ，３４ａを相互に対向させた折り畳み状態で、第１ケーシング３３の第２ケーシング３４に対向する領域に設けられる。第２ケーシング３４には、表示部３が設けられる。表示部３は、第１および第２ケーシング３３，３４の一表面部３３ａ，３４ａを相互に対向させた折り畳み状態で、第２ケーシング３４の第１ケーシング３３に対向する領域に、その表示面が設けられる。
【００７８】
表示部３およびキー入力部２を、折り畳み状態で第１および第２ケーシング３３，３４の相互に対向する領域にそれぞれ設けることによって、第１および第２ケーシング３３，３４を展開状態としたとき、操作者は表示部３を見つつキー入力部２によって情報を入力することができる。本実施の形態において展開状態とは、次のような状態である。すなわち第１および第２ケーシング３３，３４を相互に対向させた折り畳み状態で相互に対向する領域が、外部に露出する状態であって、操作者が、表示部３を目視することができるとともに、キー入力部２を操作することができる状態である。
【００７９】
図３は、撮像部４によって生成される画像情報を、表示部３に表示して示す図である。図３（１）は、第１表示モードにおける表示画面を示し、図３（２）は、第２表示モードにおける表示画面を示す。第１表示モードでは、制御部９は、撮像部４によって生成される画像情報とともに、撮像に関する条件を含む装置の状態を表すステータス情報を表示する。ステータス情報には、たとえば無線部１４による電波の受信状態を表す情報、時刻情報、バッテリの残量を表す情報、撮像される画像情報の保存先に関する情報などの、表２に示される設定条件を含む。ステータス情報は、その情報が認識しやすいように、状態を表す画像で表される。第１表示モードでは、制御部９は、前述したステータス情報を表示領域４２の一端部４２ａ寄りに表示させ、表示領域４２の他端部４２ｂ寄りには、所定の情報、たとえば撮像モードにおける機能キー３２の機能に関する情報を表示させる。このように第１表示モードでは、ステータス情報などを表示部３に表示させることによって、利用者は、撮像部４によって生成される画像情報を表示部３に表示させた状態であっても、装置の状態を把握することができる。
【００８０】
第２表示モードでは、制御部９は、撮像部４によって生成される画像情報を、図３（２）に示すように、表示部３の表示領域４２の全領域に表示させる。このように画像情報を表示させることによって、撮像される画像情報を可及的に大きく表示させることができ、これによって撮像される被写体を利用者が認識しやすくなる。特に、携帯型電話装置などの小形の電子機器においては、装置を小形に形成するために、装置に搭載される表示部３の表示領域は、たとえばパーソナルコンピュータなどの電子機器と比較して小さい。このような表示部３に、撮像部４によって被写体を撮像することによって生成される画像情報を、第１表示モードで表示させると、表示される画像情報が小さくなり、被写体の撮像状態を認識しにくくなってしまうが、第２表示モードとすることによって、画像情報を表示部３の表示領域４２にわたって表示させることができ、撮像する被写体を利用者がより認識しやすくなる。
【００８１】
第１および第２表示モードのいずれの表示モードで表示させるのかは、利用者がキー入力部２を操作することによって選択することができる。たとえば、撮像動作モードにおいて、十字キー２４を操作することによって、制御部９は、表示モードを選択する。第１表示モードで表示させているときに、十字キー２４が押下されると、制御部９は、第１表示モードから第２表示モードに切換えて表示部３を制御し、第２表示モードで表示させているときに、十字キー２４が押下されると、制御部９は、第２表示モードから第１表示モードに切換えて、表示部３を制御する。
【００８２】
図４は、制御部９の動作を示すフローチャートである。ここでは第２表示モードが選択され、制御部９が、撮像部４によって撮像された画像情報を表示部３の表示領域の全領域に表示させるときの動作を示す。電源が投入されると、制御部９は、表示ドライバ部１０に制御指令を与える。これによって表示部３には、表示用メモリ８に記憶される画像情報が表示される。第２表示モードでは、前述したように、制御部９は、撮像された画像情報を表示部３の表示領域４２の全領域に表示させるように表示部３を制御する。また撮像部４は、撮像動作モードにおいて、予め定める第１の時間Ｔ１ごとに、撮像部４に生成された画像情報を制御部９に送信するように撮像部４を制御する。予め定める第１の時間Ｔ１は、たとえば１／１０秒間隔であり、撮像部４は、１秒間に１０フレーム分の画像情報を、等間隔で制御部９に与える。
【００８３】
待受け状態において、カメラキー２５が押下されると、制御部９は、撮像動作モードで装置の各部を制御し、ステップｓ０からステップｓ１に移る。ステップｓ１では、制御部９は、イベントが発生したか否かを判断する。ここで、イベントの発生とは、キー入力部２の文字キー４１に対応する指令情報が与えられる、通信制御部１５から通信制御情報が与えられる、計時部１９から計時情報が与えられることである。ステップｓ１において、制御部９が、イベントが発生したと判断すると、ステップｓ２に移る。
【００８４】
次にステップｓ２では、制御部９は、発生したイベントに対応する処理を判断する。具体的には、ステップｓ２において、制御部９は、発生したイベントが、撮像に関する条件の選択に対応するものであるのか、電子メールの受信に対応するものなのか、電話の着信に対応するものなのか、メニューキー２３に対応するものなのか、計時情報に対応するものなのか、カメラ割り込みに対応するものなのかを判断して、次にどのステップに移るのかを判断する。
【００８５】
ステップｓ２において、制御部９が、発生したイベントが、撮像に関する条件の選択に対応するものであると判断すると、ステップｓ３に移る。ステップｓ３では、制御部９は、マスク設定されているのか否かを判断する。ステップｓ３において、制御部９が、マスク設定していないと判断すると、ステップｓ４に移り、マスク設定していると判断すると、ステップｓ５に移る。マスク設定については、次のステップｓ４において説明する。
【００８６】
ステップｓ４では、制御部９は、マスク設定する。マスク設定とは、表示用メモリ８であるＶＲＡＭにおいて、このＶＲＡＭの記憶領域のうち、所定の領域に記憶される画像情報の更新を防止する処理である。マスク設定することによって、撮像部４から画像情報が与えられたとしても、ＶＲＡＭにおける所定の領域の画像情報が、撮像部４から与えられる画像情報によって更新されることが防止される。前記表示用メモリ８の所定の領域は、１画面分の画像情報を記憶することができる記憶領域のうちの一部である。表示用メモリ８の各アドレスは、表示部３の画素に対応するので、表示を更新する部分のアドレスと、表示を更新しない部分のアドレスとを、制御部９が把握することによって、情報が更新して記憶される領域と、更新しない領域とを分けることができる。
【００８７】
ステップｓ４を終了すると、ステップｓ５に移り、制御部９は、第２メモリ７に記憶される表１に示す文字キーと、各文字キーに対応する撮像に関する条件と、表２に示す設定条件とに基づいて、基づいて選択された撮像に関する条件の内容と、選択される前の撮像に関する条件の内容とを表す撮像関連情報、言い換えれば変更内容を表す変更情報をＶＲＡＭの前記所定の領域に記憶させて、ステップｓ６に移る。変更情報は、言い換えれば第２メモリ７に記憶されている設定条件のうち、文字キー４１が操作されることによって設定が変更される設定条件と、文字キー４１が操作されることによって選択される撮像に関する条件とを表す。
【００８８】
ステップｓ６では、制御部９は、表示ドライバ部１０に制御指令を与えて、表示用メモリ８に記憶されている情報を、表示部３に表示させる。表示用メモリ８に記憶される情報が、表示ドライバ部１０によって読み出されて表示部３に表示されるので、表示部３に変更情報を表示させることができる。
【００８９】
ステップｓ７では、制御部９は、指令情報に基づいて、第２メモリ７に記憶される表２に示すテーブルの設定条件のうち、選択された撮像に関する条件に対応する項目の設定条件を変更して記憶し、制御部９は、変更された設定条件で撮像するように装置の各部を制御して、ステップｓ８に移る。
【００９０】
ステップｓ８では、制御部９は、計時部１９に所定の制御指令を与えて、タイマをスタートさせてステップｓ８に移り、処理を終了する。計時部１９は、タイマをスタートさせてから予め定める時間が経過すると、制御部９にタイマのカウントが終了したことを示す計時情報を与える。前記予め定める時間は、たとえば２秒に選ばれる。ステップｓ８が終了すると、ステップｓ９に移り、撮像動作モードが終了する指示が与えられるまで本フローチャートを繰り返すため、ステップｓ１に移る。撮像動作モードにおいて、クリアキー３１が押下に対応する指令情報が与えられると、制御部９は撮像動作モードを終了して、待受け状態となように、装置の各部を制御する。
【００９１】
前述したステップｓ２において、制御部９が、発生したイベントが、電子メールの受信に対応するものであると判断すると、ステップｓ１０に移る。ステップｓ１０では、制御部９は、通信制御部１５を制御して、電子メールの受信処理を行う。制御部９は、通信制御部１５が受信した電子メール情報を、第２メモリ７に記憶させる。ステップｓ１０の処理が終了すると、ステップｓ１１に移る。
【００９２】
ステップｓ１１では、制御部９は、マスク設定されているか否かを判断する。ステップｓ１１において、制御部９がマスク設定されていないと判断すると、ステップｓ１２に移り、マスク設定されていると判断すると、ステップｓ１３に移る。
【００９３】
ステップｓ１２では、制御部９は、マスク設定する。ステップｓ１２の処理は、前述したステップｓ４の処理と同様であるので説明を省略する。ステップｓ１１の処理が終了すると、ステップｓ１２に移る。
【００９４】
ステップｓ１２では、制御部９は、電子メールを受信したことを示す電子メール受信情報を、表示用メモリ８であるＶＲＡＭの、前記所定の領域に記憶させて、ステップ１４に移る。
【００９５】
ステップｓ６では、制御部９は、表示ドライバ部１０に制御指令を与えて、表示用メモリ８に記憶されている情報を、表示部３に表示させる。表示用メモリ８に記憶される情報が、表示ドライバ部１０によって読み出されて表示部３に表示されるので、表示部３にメール受信情報を表示させることができる。ステップｓ１２の処理が終了すると、ステップｓ８に移る。
【００９６】
ステップｓ２において、制御部９が、発生したイベントが、電話の着信に対応するものであると判断すると、ステップｓ１５に移る。ステップｓ１５では、制御部９は、通信制御部１５を制御して、電話着信処理を行う。電話着信処理は、アンテナ部１３を介して無線部１４によって受信される通信情報に含まれる発信者識別情報を取得して、第２メモリ７に着信履歴として記憶させる処理を含む。本発明の他の実施の形態において、ステップｓ１５では、制御部９が通信制御部１５を制御して、音声出力部１７から電話着信したことを表す音声情報を出力させる構成としてもよい。ステップｓ１５が終了すると、ステップｓ１６に移る。
【００９７】
ステップｓ１６では、制御部９は、マスク設定されているか否かを判断する。ステップｓ１６において、制御部９がマスク設定されていないと判断すると、ステップｓ１７に移り、マスク設定されていると判断すると、ステップｓ１８に移る。
【００９８】
ステップｓ１７では、制御部９は、マスク設定する。ステップｓ１７の処理は、前述したステップｓ４の処理と同様であるので説明を省略する。ステップｓ１７の処理が終了すると、ステップｓ１８に移る。
【００９９】
ステップｓ１２では、制御部９は、電子メールを受信したことを表す電子メール受信情報を、表示用メモリ８であるＶＲＡＭの、前記所定の領域の領域に記憶させて、ステップ１４に移る。
【０１００】
ステップｓ１３では、制御部９は、電話着信したことを表す電話着信情報を、表示用メモリ８であるＶＲＡＭ、前記所定の領域に記憶させて、ステップｓ１８に移る。
【０１０１】
ステップｓ１８では、制御部９は、表示ドライバ部１０に制御指令を与えて、表示用メモリ８に記憶されている情報を、表示部３に表示させる。表示用メモリ８に記憶される情報が、表示ドライバ部１０によって読み出されて表示部３に表示されるので、表示部３に電話着信情報を表示させることができる。ステップｓ１８の処理が終了すると、ステップｓ８に移る。
【０１０２】
前述したステップｓ２において、制御部９が、発生したイベントが、メニューキー２３に対応するものであると判断すると、ステップｓ１９に移る。ステップｓ１９では、撮像画像処理を行う。制御部９は、ステップｓ１９において、撮像部４、第１メモリ６および表示用メモリ８に制御指令を与えて、撮像部４によって生成された画像情報を第１メモリ６および表示用メモリ８に記憶させる。第１メモリ６および表示用メモリ８には、同じ画像情報が記憶される。ステップｓ１９の処理が終了するとステップｓ２０に移る。
【０１０３】
ステップｓ２０では、制御部９は、表示ドライバ部１０に制御指令を与えて、表示用メモリ８に記憶される情報を、表示部３に表示させて、ステップｓ２１に移る。
【０１０４】
ステップｓ２１では、制御部９は、第１メモリ６に記憶されている画像情報を、第２メモリ７に記憶させる。制御部９は、ステップｓ２１において、第１メモリ６に記憶された画像情報を所定の圧縮方法で、圧縮した後、第２メモリ７に記憶させる。前記所定の圧縮方法は、たとえば画像情報が静止画像情報であれば、ＪＰＥＧ（Join Picture Expert
Group）を用い、たとえば画像情報が動画像情報であれば、ＭＰＥＧ（Expert Group）を用いる。ステップｓ２１が終了すると、ステップｓ９に移る。制御部９は、第２メモリ７に記憶される設定条件の項目「画質」に対応する所定の圧縮率で、画像情報を圧縮する。
【０１０５】
前述したステップｓ２において、制御部９が、発生したイベントが、計時情報に対応するものであると判断すると、ステップｓ２２に移る。ステップｓ２２では、制御部９は、マスク設定を解除して、ステップｓ８に移る。マスク設定を解除することによって、表示用メモリ８の記憶領域の全領域に、撮像部４によって生成された画像情報を記憶させることができるようになる。計時情報は、タイマをスタートさせて、予め定める第２の時間Ｔ２経過したときに制御部９に与えられるので、ステップｓ２２でマスク設定が解除され、次に表示用メモリ８に画像情報が記憶される間での間は、マスク設定した表示用メモリ８の所定の領域に記憶された情報、すなわち変更内容を表す情報、電子メール受信情報および電話着信情報のうちのいずれかを、表示部３に表示させることができる。このような処理によって、表示用メモリ８の所定の領域に記憶された情報は、前記予め定める第２の時間Ｔ２だけ表示部３に表示される。
【０１０６】
前述したステップｓ２において、制御部９が、発生したイベントが、カメラ割込みに対応するものであると判断すると、ステップｓ２３に移る。ステップｓ２３では、制御部９は、撮像部４によって生成された画像情報を、表示用メモリ８であるＶＲＡＭに記憶させる。ステップｓ２２の処理が終了すると、ステップｓ８に移る。カメラ割込みに対応するイベントは、前述したように、予め定める第１の時間Ｔ１ごとに発生する。制御部９は、マスク設定している場合、表示用メモリ８の所定の領域を除く残余の領域に、撮像部４によって生成された画像情報を記憶させる。したがって、撮像部４によって生成される画像情報のうち、表示用メモリ８の所定の領域に対応する領域の画像情報は、表示用メモリ８には記憶されない。
【０１０７】
ステップｓ２３では、制御部９は、表示ドライバ部１０に制御指令を与えて、表示用メモリ８に記憶される情報を、表示部３に表示させて、ステップｓ２１に移る。
【０１０８】
図４に示すフローチャートを見ても判るように、キー入力部２から指令情報が与えられず、また電子メール受信および電話着信がない場合には、予め定める第１の時間Ｔ１ごとに、ステップｓ２からステップｓ２３に移ることによって、表示用メモリ８に記憶される画像情報が更新され、この更新された画像情報が、表示ドライバ部１０によって表示部３に表示される。
【０１０９】
図５は、表示部３に変更情報を表示させて示す図である。撮像部４によって生成された画像情報を、表示部３の表示領域４２の全領域に表示させる撮像動作モードにおいて、番号「６」の文字キー４１を操作すると、前述したフローチャートのステップｓ２からステップｓ３に移る。番号「６」の文字キー４１は、表２に示すように、画質を選択するための操作キーである。たとえば、番号「６」の文字キー４１を操作する前の画質の設定条件が、「ファイン」であったとすると、番号「６」の文字キー４１を押下することによって、画質として「スーパーファイン」が選択されて、ステップｓ５で、画質が「ファイン」から「スーパーファイン」に変更されたことを表す変更情報が、ステップｓ５において表示用メモリ８の所定の領域に記憶される。これによってステップｓ６において、表示部３には、撮像部４によって生成される画像情報とともに、変更情報が図４に示すように、表示領域４２の中央部のポップアップ表示領域４３に表示される。ポップアップ表示領域４３は、表示用メモリ８の所定の領域に対応する。本実施の形態では、ポップアップ表示領域４３を矩形状の領域としている。表示部３に表示される文字を認識しやすいように、制御部９は、文字と画像とが直接隣接しないようにして、変更情報の文字を表示する。前記ポップアップ表示領域４３は、表示領域４２の中央に重ならないように、表示領域４２の中央わずかに一端部４２ａ寄りに配置される。このようにポップアップ表示領域４３を設けることによって、変更情報を表示させているときであっても、利用者は、撮像部４によって撮像される撮像範囲の中心４４を認識することができる。したがって変更情報が表示されている場合であっても、撮像される範囲の中心４４が、被写体のどこにあるのかを利用者が認識することができるので、撮像を好適に行うことができ、シャッタチャンスを逃すことがない。またポップアップ表示領域４３は、表示領域４２の全領域の面積の１／４以下に選ばれる。このようにポップアップ表示領域４３に面積を選ぶことによって、変更内容が表示されている間であっても、撮像部４によって撮像される画像情報を認識しやすくすることができ、変更内容が表示されている場合であってもシャッタチャンスを逃すことが防止される。変更情報は、画質が選択されたことを表す「画質選択」の文字情報と、変更される前の設定条件である「ファイン」を表す文字「Ｆ」と、選択される設定条件である「スーパーファイン」を表す文字「ＳＦ」とを含み、「画質選択Ｆ→ＳＦ」のように表される。
【０１１０】
撮像部４によって生成される画像情報を、表示部３の表示領域４２の全領域に表示させる場合、撮像部４によって生成される画像情報を、可及的大きく表示させることができ、撮像範囲を容易に確認することができる。この場合、表示部３の表示領域４２の全領域に、撮像部によって生成される画像情報を表示させることで、撮像に関する条件が分かりにくくなってしまうが、文字キー４１によって撮像に関する条件が選択されたときに、図４に示すように変更情報が表示部３に表示されるので、利用者は、撮像に関する条件を容易に認識することができる。また文字キー４２によって選択された所定の撮像に関する条件だけでなく、文字キー４２によって選択される前の撮像に関する条件が表示されることによって、撮像に関する条件がどのように変わるのかが分かるので、撮像に関する条件の比較をすることができ、利用者にとって利便性が向上する。
【０１１１】
前述した図４に示すフローチャートに基づいて、表示部３に変更情報が表示されると、予め定める第２の時間Ｔ２が経過するまでは、変更情報が表示部３に表示され、変更情報が表示される領域を除く表示部３の残余の領域に記憶される画像情報は、予め定める第１の時間Ｔ１ごとに更新される。表示部３に変更情報が表示され、予め定める第２の時間Ｔが経過すると、フローチャートのステップｓ２２によって制御部９がマスク解除することによって、変更情報は表示が停止され、再び図３（２）に示すように、撮像部４によって生成される画像情報を表示部３の表示領域４２の全領域に表示させることができる。したがって、変更情報は、予め定める第２の時間Ｔ２だけ表示されることになる。予め定める第２の時間Ｔ２を、利用者が変更情報を認識するために必要な時間に選ぶことによって、利用者が識別情報を認識した後に、変更情報が消去されるので、変更情報が表示されることによってこの変更情報が、撮像の邪魔となることが防止される。
【０１１２】
図６は、表示部３に電子メール受信情報を表示させて示す図である。撮像部４によって生成された画像情報を、表示部３の表示領域４２の全領域に表示させる撮像動作モードにおいて、電子メールを受信すると、前述したフローチャートのステップｓ２からステップｓ１０に移って各ステップに沿って制御部９が所定の処理をして、ステップｓ１３において、電子メール受信情報が表示用メモリ８の所定の領域に記憶される。これによって、ステップｓ１４において、表示部３には、撮像部４によって生成される画像情報とともに、電子メール受信情報が、図５に示すように、表示領域４２の中央部のポップアップ表示領域４３に表示される。電子メール受信情報は、「電子メールを受信しました」のように表される。このように撮像動作モードにおいて、電子メールを受信したことを表す情報が表示されるので、利用者は撮像中であっても電子メールを受信したことを認識することができるので、利便性が向上する。
【０１１３】
図７は、表示部３に電話着信情報を表示させて示す図である。撮像部４によって生成された画像情報を、表示部３の表示領域４２の全領域に表示させる撮像動作モードにおいて、電話着信すると、前述したフローチャートのステップｓ２からステップｓ１５に移って各ステップに沿って制御部９が所定の処理をして、ステップｓ１８において、電話着信情報が表示用メモリ８の所定の領域に記憶される。これによって、ステップｓ１９において、表示部３には、撮像部４によって生成される画像情報とともに、電話着信情報が、図７に示すように、表示領域４２の中央部のポップアップ表示領域４３に表示される。電話着信情報は、「電話着信がありました」のように表される。このように撮像動作モードにおいて、電話着信を表す情報が表示されるので、利用者は撮像中であっても電話着信を認識することができるので、利便性が向上する。
【０１１４】
本発明の撮像表示装置は、携帯型電話装置などの、携帯型電子装置に特に好適に用いることができる。このような携帯型電子装置では、装置を小形に形成する必要があるため、表示部３の大きさもパーソナルコンピュータなどと比較して小型に形成される。表示部３の表示領域４２が小さく、この小さな表示領域４２で、撮像部４によって生成された画像情報を表示させて、表示部３に表示される画像情報を見て撮像される被写体を確認するために、撮像表示装置１では、第２表示モードとすることによって表示部３の表示領域の全領域に画像情報を表示させることができ、撮像される被写体の確認がしやすくなる。この場合、ステータス情報が表示部３に表示されないが、撮像に関する条件が変更されたときには、変更情報が表示されることによって、利用者は撮像に関する条件がどのように変更されたのかを用意に認識することができる。予め定める時間、本実施の形態では２秒間だけ、変更情報が表示されるので、撮像に与える影響を可及的に低減することができ、撮像に関する条件を変更しても、円滑に撮像を続けることができる。
【０１１５】
本発明の実施のさらに他の形態の撮像表示装置では、前述した図１に示す撮像表示装置１の各構に加えて、成撮像動作モードにおいて、撮像に関する条件を選択するために操作される各文字キー４１に、各撮像に関する条件を対応づけする対応設定手段を含む。前述の実施の形態と同様の構成には、同様の参照符号を付す。対応設定手段は、キー入力部２、プログラム用メモリ５、第２メモリ７、および制御部９を少なくとも含む。プログラム用メモリ５には、各文字キーと、撮像に関する条件とを対応づけするための対応設定プログラムが記憶され、対応設定プログラムによって、第２メモリ７に、各文字キー４１と、撮像動作モードのときに、各文字キーを操作することによって選択される撮像に関する条件とを対応づけして記憶させる。
【０１１６】
表３は、第２メモリ７に記憶される文字キーと、各文字キーに対応する撮像に関する条件とを表す。
【０１１７】
【表３】
2005311911.tif 000005
【０１１８】
各撮像に関する条件には、識別情報（ＩＤ）が付与されており、第２メモリ７には、撮像動作モードにおける文字キー４１と、各文字キーに対応する識別情報との組合せが記憶される。表３において、文字キー４１は、数字「０」〜「９」の文字キー４１である。識別情報は、たとえば数字によって表される。文字キー４１に対応させて、識別情報を記憶させることによって、文字キー４１が操作されたときに、制御部９は、第２メモリ７に記憶される表１に示す文字キーと、各文字キーに対応する撮像に関する条件と、表２に示す設定条件とに基づいて、この数字キーに対応する所定の識別番号を検索して、撮像に関する条件を選択する。その他の処理は、前述した実施の形態の撮像表示装置１と同様であるのでその説明を省略する。たとえば数字「５」の文字キー４１は、静止画像を撮像するためのカメラモードに対応する。またたとえば数字「１」の文字キー４１は、撮像部４によって生成される画像情報の画質に対応する。
【０１１９】
キー入力部２を操作して、制御部９にプログラム用メモリに記憶される対応設定プログラムを実行させることによって、制御部９が表示部３に設定するためのガイダンス情報を表示させる。利用者は、表示部３に表示されるガイダンス情報にしたがって、キー入力部２を操作することによって、表２に示す第２メモリ７に文字キー４１と識別番号とを対応させた対応設定情報を記憶させることができる。
【０１２０】
このように各操作キーと、第２メモリ７に記憶される撮像に関する条件を対応づけることができるので、利用者が所望の操作キーとこれを操作することによって選択される撮像に関する条件とを対応づけすることができる。したがって、複数の操作キーがある場合であっても、利用者の使いやすい操作キーを操作することによって、所定の撮像に関する条件を選択することができるようになり、操作しやすくなる。
【０１２１】
前述した実施の形態の撮像表示装置１では、撮像部４によって生成される画像情報を表示部３の全領域に表示させる第２表示モードのときに、制御部９は、表示部３に変更情報、電子メール受信情報および電話着信情報を表示させることができるが、第１表示モードのときであっても制御部９が、表示部３に変更情報、電子メール受信情報および電話着信情報を表示させる構成としてもよい。この場合、図４のフローチャートのステップｓ２３において、撮像部４からの画像情報を表示用メモリ８に記憶させるときに、表示用メモリ８の所定の領域に、ステータス情報および所定の情報を記憶させる。表示部３にステータス情報を表示させている場合であっても、変更情報、電子メール受信情報および電話着信情報を表示させることによって、撮像に関する条件が変更されたこと、電子メールを受信したこと、電話着信があったことを、利用者がより認識しやすくなる。
【０１２２】
前述した実施の形態では、撮像表示装置を、携帯型電話装置に適用して説明したが、本発明の実施の他の形態において、撮像表示装置１は、たとえばＰＤＡ（Personal Digital Assistant）などの携帯型の情報端末装置、およびノート型を含むパーソナルコンピュータに適用されてもよい。このような装置および機器に適用しても、同様な効果を達成することができる。
【図面の簡単な説明】
【０１２３】
【図１】本発明の実施の一形態の撮像表示装置１の構成を示すブロック図である。
【図２】撮像表示装置１の外観を示す正面図である。
【図３】撮像部４によって生成される画像情報を、表示部３に表示して示す図である。
【図４】制御部９の動作を示すフローチャートである。
【図５】表示部３に変更情報を表示させて示す図である。
【図６】表示部３に電子メール受信情報を表示させて示す図である。
【図７】表示部３に電話着信情報を表示させて示す図である。
【符号の説明】
【０１２４】
１  撮像表示装置
２  キー入力部
３  表示部
５  プログラム用メモリ
６  第１メモリ
７  第２メモリ
８  表示用メモリ
９  制御部
１０  表示ドライバ部
１３  アンテナ部
１４  無線部
１５  通信制御部
１９  計時部
【図１】
2005311911.tif 000006
【図２】
2005311911.tif 000007
【図３】
2005311911.tif 000008
【図４】
2005311911.tif 000009
【図５】
2005311911.tif 000010
【図６】
2005311911.tif 000011
【図７】
2005311911.tif 000012